【手続補正書】
【提出日】平成16年4月9日(2004.4.9)
【手続補正１】
【補正対象書類名】明細書
【補正対象項目名】全文
【補正方法】変更
【補正の内容】
【発明の名称】スピニングリールのベール反転装置
【特許請求の範囲】
【請求項１】スピニングリールのリール本体に回転自在に装着されたロータに糸巻取姿勢と糸開放姿勢とに揺動自在に装着されたベールアームを、前記ロータの糸巻取方向の回転に連動して前記糸開放姿勢から前記糸巻取姿勢に戻すスピニングリールのベール反転装置であって、
基端が前記ベールアームに係止され、前記ベールアームの揺動に連動して前記糸巻取姿勢に対応する前記リール本体から離反した第１位置と前記糸開放姿勢に対応する前記リール本体に接近した第２位置とに先端が少なくとも前後移動自在に前記ロータに設けられた移動部材と、
前記ベールアームの前記移動部材の係止位置と異なる位置に先端が回動自在に係止され、前記ベールアームを前記糸巻取姿勢と糸開放姿勢とに振り分けて付勢し、かつその付勢方向が前記ベールアームの揺動に応じて変化するトグルばね機構と、
前記リール本体の前部に設けられ、前記ロータが糸巻取方向に回転したとき、前記第２位置に移動した前記移動部材の突出した先端に接触して前記移動部材を前記第１位置に向けて移動させる切換部と、
を備えたスピニングリールのベール反転装置。
【請求項２】前記移動部材は、一端が前記ベールアームの揺動中心の近傍に向けて揺動軸芯に沿うように屈曲し、他端が前記ロータの回転軸芯に向けて屈曲し、その間が前記ロータの回転軸芯に沿って配置された部材であり、前記先端が前記ロータに前後移動自在に係止され、基端が前記ベールアームに形成された係合凹部に揺動方向に移動自在に係止されている、請求項１に記載のスピニングリールのベール反転装置。
【請求項３】前記係合凹部は、前記ベールアームの揺動方向に沿って形成された円弧状の凹溝である、請求項２に記載のスピニングリールのベール反転装置。
【請求項４】前記トグルばね機構は、前記ベールアームに一端が係止された軸部材と、前記軸部材を進退自在に案内しかつ前記ロータに揺動自在に装着されたガイド部材と、前記ガイド部材に装着され、前記軸部材を進出側に付勢するばね部材とを有する請求項１から３のいずれかに記載のスピニングリールのベール反転装置。
【請求項５】前記トグルばね機構は、前記ベールアームに一端が係止された軸部材と、前記ロータに案内され一端が前記軸部材に他端が前記ロータにそれぞれ係止され前記軸部材を付勢するばね部材とを有する、請求項１から３のいずれかに記載のスピニングリールのベール反転装置。
【請求項６】前記ばね部材は、前記軸部材の外周側に配置され前記軸部材に係止される一端の巻径が他の部分より小さいコイルばねである、請求項５に記載のスピニングリールのベール反転装置。
【請求項７】前記ばね部材と前記ロータとの間に配置され前記付勢部材を案内する合成樹脂製のシート部材をさらに備える、請求項５又は６に記載のスピニングリールのベール反転装置。
【請求項８】前記切換部は、前記ロータの糸巻取回転方向下流側が上流側より前記リール本体の前面から前記ロータ側に突出した第１傾斜面を有する、請求項１から７のいずれかに記載のスピニングリールのベール反転装置。
【請求項９】前記切換部は、前記第１傾斜面の突出部分と連続して形成され、第１傾斜面の突出部分から前記糸巻取回転方向下流側に向けて突出量が減少する第２傾斜面を有する、請求項８に記載のスピニングリールのベール反転装置。
【請求項１０】前記リール本体の前部に設けられ、前記第２位置に移動した前記移動部材の突出した他端が接触可能な制動部材をさらに備える、請求項１から９のいずれかに記載のスピニングリールのベール反転装置。
【請求項１１】前記切換部の傾斜面の少なくとも一部は、前記制動部材の前記移動部材との接触部より前記ロータ側に突出している、請求項１０に記載のスピニングリールのベール反転装置。
【請求項１２】前記制動部材は、少なくとも外周の一部に平坦な円周面で構成された制動面を有し、
前記第２位置に移動した前記移動部材の突出した他端が前記制動面に接触する、請求項１０又は１１に記載のスピニングリールのベール反転装置。
【請求項１３】前記制動部材は、前記リール本体の前部に前記移動部材に接触可能に実質的に環状に形成された断面が矩形の弾性体製である、請求項１０から１２のいずれかに記載のスピニングリールのベール反転装置。
【請求項１４】前記制動部材は、前記切換部が設けられた部分で径方向内方に迂回したＤ字状の部材である、請求項１３に記載のスピニングリールのベール反転装置。
【請求項１５】前記移動部材の前記他端の端面は丸みを帯びている、請求項１２から１４のいずれかに記載のスピニングリールのベール反転装置。
【請求項１６】前記制動部材の制動面の先端縁部は丸みを帯びている、請求項１２から１５のいずれかに記載のスピニングリールのベール反転装置。
【発明の詳細な説明】
【０００１】
【発明の属する技術分野】
本発明は、ベール反転装置、特に、スピニングリールのリール本体に回転自在に装着されたロータに糸巻取姿勢と糸開放姿勢とに揺動自在に装着されたベールアームを、ロータの糸巻取方向の回転に連動して糸開放姿勢から糸巻取姿勢に戻すスピニングリールのベール反転装置に関する。
【０００２】
【従来の技術】
一般にスピニングリールのロータには、釣り糸をスプールに案内するためのベールアームが設けられている。ベールアームは、釣り糸を巻き取る際に釣り糸をスプール外周に導く糸巻取姿勢と、スプールから釣り糸を繰り出す際に邪魔にならないように糸巻取姿勢から倒された糸開放姿勢とをとり得る。ベールアームを糸巻取姿勢と糸開放姿勢とに維持するとともに、ロータの糸巻取方向の回転に連動して糸開放姿勢から糸巻取姿勢に戻すために、ロータにはベール反転装置も設けられている。
【０００３】
従来のベール反転装置として、特開平１０−４８３９号公報に開示された装置が知られている。このベール反転装置は、ベールアームの揺動中心の近傍に先端が係止され、ロータに装着されたトグルばねと、ベールアームの揺動中心の近傍に先端が係止され、基端がリール本体に向けて前後移動する移動部材と、移動部材に接触するようにリール本体に設けられた切換突起とを有している。トグルばねは、ベールアームを２つの姿勢に振り分けて付勢し、ベールアームを２つの姿勢で保持する。トグルばねは、ロータのロータアームに形成された凹部に収納されたコイルばねと、コイルバネにより付勢されるリンク部材とを有している。リンク部材は、コイルばねにより押圧される軸部材と、軸部材の先端に所定範囲揺動自在に装着されたリンクとを有している。このリンクの先端がベールアームの揺動中心の近傍に係止されている。
【０００４】
このような構成のベール反転装置では、糸開放姿勢にベールアームが揺動すると、移動部材が切換突起に接触する位置に後退する。このとき、トグルばねでは、リンクが揺動しつつ死点を超えるまでは軸部材が後退し、死点を超えると軸部材がコイルバネによって付勢されて前進する。そして、ロータが糸巻取方向に回転すると、移動部材が切換突起に接触して前進する。この前進により、リンクが揺動するとともに軸部材が死点を超えるまで後退する。そして、死点を超えると前進してベールアームを糸巻取姿勢に戻す。
【０００５】
このようなスピニングリールでは、キャスティングを行って釣り糸を繰り出すときには、ロータの逆転を禁止した状態で、釣り糸を人指し指の腹で引っ掛けた後ベールアームを糸開放姿勢に反転させる。このときには、釣り糸を引っ掛けやすいようにラインローラが釣り竿側になるようにロータを回転させる。そして、釣り竿を振り下ろしその途中で釣り糸を人指し指から放して仕掛けが着水するのを待つ。仕掛けが着水した後、仕掛けが適当に沈んだところでハンドルを僅かに巻き取りベール反転装置によりベールアームを糸巻取姿勢に戻す。
【０００６】
【発明が解決しようとする課題】
前記従来の構成では、トグルばねがベールアームを付勢して糸巻取姿勢に戻すとき、軸部材は揺動せずにリンクだけが軸部材に対して揺動している。このため、コイルバネの付勢方向と、リンクがベールアームを押圧する方向とが異なる方向になる。したがって、軸部材からリンクを介してベールアームに伝達される力がリンクの揺動角度分小さくなり、トグルばねがベールアームを糸巻取姿勢に戻す力が弱くなる。これを防止するためにコイルばねの付勢力を強くすると、ベールアームを糸巻取姿勢から糸開放姿勢に反転させるとき、反転に要する力が大きくなり、ベールアームを反転させにくくなる。
【０００７】
本発明の課題は、スピニングリールのベール反転装置において、トグルばねの付勢力をベールアームに効率よく伝達できるようにすることにある。
【０００８】
【課題を解決するための手段】
発明１に係るスピニングリールのベール反転装置は、スピニングリールのリール本体に回転自在に装着されたロータに糸巻取姿勢と糸開放姿勢とに揺動自在に装着されたベールアームを、ロータの糸巻取方向の回転に連動して糸開放姿勢から糸巻取姿勢に戻す装置であって、移動部材と、トグルばね機構と、切換部とを備えている。移動部材は、基端がベールアームに係止され、ベールアームの揺動に連動して糸巻取姿勢に対応するリール本体から離反した第１位置と糸開放姿勢に対応するリール本体に接近した第２位置とに先端が少なくとも前後移動自在にロータに設けられた部材である。トグルばね機構は、ベールアームの移動部材の係止位置と異なる位置に先端が回動自在に係止され、ベールアームを糸巻取姿勢と糸開放姿勢とに振り分けて付勢し、かつその付勢方向がベールアームの揺動に応じて変化する機構である。切換部は、リール本体の前部に設けられ、ロータが糸巻取方向に回転したとき、第２位置に移動した移動部材の突出した先端に接触して移動部材を第１位置に向けて移動させるものである。
【０００９】
このベール反転装置では、ベールアームが糸巻取姿勢から糸開放姿勢に反転すると、移動部材の他端が第２位置に移動する。このとき、トグルばね機構は、いったん死点まで収縮した後伸長してベールアームを糸開放姿勢側に付勢する。この状態でロータが糸巻取方向に回転すると、第２位置に移動した移動部材の先端に切換部が接触して移動部材が第１位置側に押圧され移動する。するとベールアームが糸巻取姿勢側に揺動する。そして、トグルばね機構の死点を超えると、トグルばね機構が伸長してベールアームを糸巻取姿勢側に押圧する。この結果、ベールアームが糸開放姿勢に反転しかつその姿勢で保持される。この糸巻取姿勢への揺動の際に、トグルばね機構の付勢方向は、ベールアームの揺動に応じて変化する。ここでは、ベールアームが揺動するときに、トグルばね機構の付勢力がベールアームの揺動に応じて変化するので、トグルばね機構の付勢力をベールアームに効率よく伝達することができる。
【００１０】
発明２に係るスピニングリールのベール反転装置は、発明に１に記載の装置において、移動部材は、一端がベールアームの揺動中心の近傍に向けて揺動軸芯に沿うように屈曲し、他端がロータの回転軸芯に向けて屈曲し、その間がロータの回転軸芯に沿って配置された部材であり、他端がロータに前後移動自在に係止され、ベールアームに形成された係合凹部に一端が揺動方向に移動自在に係止されている。この場合には、ベールアームが揺動すると、係合凹部に係止された移動部材の一端が揺動軸芯回りに旋回する。これにより、ロータの回転軸芯に向いた移動部材の他端がロータに係止されて前後移動する。ここでは、屈曲して形成された移動部材の一端をベールアームの係合凹溝に係止し、他端を前後移動自在に係止するだけで、ベールアームの揺動運動を移動部材の他端の前後直線運動に簡単に変換できる。
【００１１】
発明３に係るスピニングリールのベール反転装置は、発明２に記載の装置において、係合凹部は、ベールアームの揺動方向に沿って形成された円弧状の凹溝である。この場合には、ベールアームが揺動して移動部材の一端が円弧状の凹溝の揺動方向上流側の端部に接触すると移動部材が移動を開始する。そして、移動部材の移動が終了しても、ベールアームはトグルばね機構によって付勢されて移動部材の一端が凹溝の揺動方向下流側の端部に接触するまでさらに揺動する。このため、移動部材の移動量よりベールアームの揺動量を多くすることができる。
【００１２】
発明４に係るスピニングリールのベール反転装置は、発明１から３のいずれかに記載の装置において、トグルばね機構は、ベールアームに一端が係止された軸部材と、軸部材を進退自在に案内しかつロータに揺動自在に装着されたガイド部材と、ガイド部材に装着され、軸部材を進出側に付勢するばね部材とを有する。この場合には、ベールアームが揺動すると、トグルばね機構のガイド部材がベールアームの揺動につれて揺動するので、ベールアームを押圧する方向がベールアームの揺動に応じて変化し、コイルばねの付勢力が軸部材を介してベールアームに効率よく伝達される。
【００１３】
発明５に係るスピニングリールのベール反転装置は、発明１から３のいずれかに記載の装置において、トグルばね機構は、ベールアームに一端が係止された軸部材と、ロータに案内され一端が軸部材に他端がロータにそれぞれ係止され軸部材を付勢するばね部材とを有する。この場合には、トグルばね機構の構成が簡素になり、トグルばね機構の軽量化を図れる。
【００１４】
発明６に係るスピニングリールのベール反転装置は、発明５に記載の装置において、ばね部材は、軸部材の外周側に配置され軸部材に係止される一端の巻径が他の部分より小さいコイルばねである。この場合には、コイルばねの一端の巻径が小さく他の部分が大きいので、一端を軸部材に係止しても軸部材との間に大きな隙間ができる。このため、コイルばねの内部で軸部材が姿勢を変えてもコイルばねが変形しにくくなる。
【００１５】
発明７に係るスピニングリールのベール反転装置は、発明５又は６に記載の装置において、ばね部材とロータとの間に配置され付勢部材を案内する合成樹脂製のシート部材をさらに備える。この場合には、付勢部材がロータに直接接触しないので、ばね部材が伸縮してもロータが傷つかない。このため、ロータをマグネシウム合金などの比較的腐食しやすい金属で形成しても、ロータの腐食を防止できる。また、合成樹脂製のシート部材により付勢部材が伸縮しやすくなる。
【００１６】
発明８に係るスピニングリールのベール反転装置は、発明１から７のいずれかに記載の装置において、切換部は、ロータの糸巻取回転方向下流側が上流側よりリール本体の前面から前記ロータ側に突出した第１傾斜面を有する。この場合には、ロータが糸巻取方向に回転を開始すると、移動部材が切換部材の第１傾斜面に接触し、徐々にロータ側に押圧される。すると、ベールアームが糸巻取姿勢にもどる。ここでは、第１傾斜面により滑らかにベールアームを糸巻取姿勢に復帰させることができる。
【００１７】
発明９に係るスピニングリールのベール反転装置は、発明８に記載の装置において、切換部は、第１傾斜面の突出部分と連続して形成され、第１傾斜面の突出部分から糸巻取回転方向下流側に向けて突出量が減少する第２傾斜面を有する。この場合には、第１傾斜面とで山形の傾斜面が形成される。この第２傾斜面を形成することにより、ロータが糸繰り出し方向に回転したときに、移動部材が切換部材に接触しても第２傾斜面で切換部材に滑らかに案内され、損傷しにくくなる。
【００１８】
発明１０に係るスピニングリールのベール反転装置は、発明１から９のいずれかに記載の装置において、リール本体の前部に設けられ、第２位置に移動した移動部材の突出した他端が接触可能な制動部材をさらに備える。この場合には、ベールアームが糸開放姿勢に揺動し、移動部材がリール本体側の第２位置に移動すると、移動部材の突出した他端が制動部材に接触してロータが制動される。このため、キャスティングやサミングのそれぞれに適した回転位相にロータを回転させた後に糸巻取姿勢にベールアームを揺動させてもロータの回転位相がずれにくくなる。
【００１９】
発明１１に係るスピニングリールのベール反転装置は、発明１０に記載の装置において、切換部の傾斜面の少なくとも一部は、制動部材の移動部材との接触部よりロータ側に突出している。この場合には、制動部材を設けても移動部材が切換部に確実に当接し、ベールアームを糸開放姿勢から糸巻取姿勢を戻すことができる。
【００２０】
発明１２に係るスピニングリールのベール反転装置は、発明１０又は１１に記載の装置において、制動部材は、少なくとも外周の一部に平坦な円周面で構成された制動面を有し、第２位置に移動した前記移動部材の突出した他端が制動面に接触する。
【００２１】
発明１３に係るスピニングリールのベール反転装置は、発明１０から１２のいずれかに記載の装置において、制動部材は、リール本体の前部に移動部材に接触可能に実質的に環状に形成された断面が矩形の弾性体製である。この場合には、ロータの回転位相に対する制動可能範囲を広くすることができる。
【００２２】
発明１４に係るスピニングリールのベール反転装置は、発明１３に記載の装置において、制動部材は、切換部が設けられた部分で径方向内方に迂回したＤ字状の部材である。この場合には、切換部と制動部材とを同じ円弧状に並べて配置可能になり、移動部材の他端の長さを短くすることができる。
【００２３】
発明１５に係るスピニングリールのベール反転装置は、発明１２から１４のいずれかに記載の装置において、移動部材の他端の端面は丸みを帯びている。この場合には、制動部材に接触する移動部材の端面が丸みを帯びているので、移動部材が移動しながら制動部材に接触するときや制動部材らか離反するときにスムーズに移動でき、両姿勢での姿勢の切り換えが滑らかになる。
【００２４】
発明１６に係るスピニングリールのベール反転装置は、発明１２から１１５のいずれかに記載の装置において、制動部材の制動面の先端縁部は丸みを帯びている。この場合には、移動部材が移動しながら制動部材の制動面に接触するときにスムーズに移動でき、ベールアームの姿勢の切り換えが滑らかになる。また、移動部材の他端の端面が丸みを帯びている場合には、さらに切り換えが滑らかになる。
【００２５】
【発明の実施の形態】
図１において、本発明の一実施形態を採用したスピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２６】
リール本体２は、内部に空間を有するリールボディ２ａと、リールボディ２ａの空間を塞ぐためにリールボディ２ａに着脱自在に装着される蓋部材２ｂとを有している。
【００２７】
リールボディ２ａは、たとえばマグネシウム合金製であり、上部に前後に延びるＴ字形の竿取付脚２ｃが一体形成されている。図２に示すように、リールボディ２ａの空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａ及び蓋部材２ｂの前端には、円形のフランジ部２ｄと、フランジ部２ｄより小径で先端が開口する円筒部２ｅと形成されている。円筒部２ｅの断面は、図５に示すように、円の一部が切り欠かれたＤ字状に形成されている。
【００２８】
蓋部材２ｂは、たとえばマグネシウム合金製の部材であり、３カ所でリールボディ２ａにビス止めされている。フランジ部２ｄにおいて、リールボディ２ａと蓋部材２ｂとの分割部分には、図５及び図６に示すように、後述する切換部材５２が着脱自在に装着されている。
【００２９】
ロータ駆動機構５は、図２に示すように、ハンドル１が回転不能に装着されたハンドル軸１０と、ハンドル軸１０とともに回転するフェースギア１１と、このフェースギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ，１４ｂを介してリール本体２に回転自在に支持されている。
【００３０】
オシレーティング機構６は、スプール４の中心部にドラグ機構７１を介して連結されたスプール軸１５を前後方向に移動させてスプール４を同方向に移動させるための機構である。
【００３１】
〔ロータの構成〕
ロータ３は、図２に示すように、ロータ本体１６と、ロータ本体１６の先端に糸開放姿勢と糸巻取姿勢とに揺動自在に装着されたベールアーム１７と、ベールアーム１７を糸巻取姿勢に戻すためにロータ本体１６に装着されたベール反転機構１８とを有している。
【００３２】
ロータ本体１６は、リールボディ２ａにスプール軸１５回りに回転自在に装着された円筒部３０と、円筒部３０の側方に互いに対向して設けられた第１及び第２ロータアーム３１，３２とを有している。円筒部３０と両ロータアーム３１，３２とは、たとえばマグネシウム合金製であり一体成形されている。
【００３３】
円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。
前壁３３の前部にロータ３の固定用のナット１３が配置されている。
【００３４】
第１及び第２ロータアーム３１，３２は、図２〜図４に示すように、円筒部３０の後部外周面にそれぞれ配置された第１及び第２接続部３１ａ，３２ａと、第１及び第２接続部３１ａ，３２ａからそれぞれ外方に凸に湾曲しつつ前方に延びる第１及び第２アーム部３１ｂ，３２ｂと、両接続部３１ａ，３１ｂと両アーム部３１ｂ，３２ｂとの両外方部分をそれぞれ覆う第１及び第２カバー部材３１ｃ．３２ｃとを有している。第１及び第２接続部３１ａ，３２ａは、円筒部３０と周方向に滑らかにそれぞれ連続して形成されている。
【００３５】
第１及び第２アーム部３１ｂ，３２ｂは、第１及び第２接続部３１ａ，３２ａと滑らかに連続して形成され円筒部３０と間隔をあけて前方に延びている。第１及び第２アーム部３１ｂ，３２ｂは、先端部から円筒部３０との接続部分に向けて滑らかに湾曲している。両接続部３１ａ，３１ｂと両アーム部３１ｂ，３２ｂとの両外方部分には、開口３１ｄ，３２ｄがそれぞれ形成されており、第１及び第２カバー部材３１ｃ，３２ｃは、開口３１ｄ，３２ｄをそれぞれ外周側から塞いでいる。この第１カバー部材３１ｃと第１接続部３１ａ及び第１アーム部３１ｂとの間には、収納空間４８が形成されている。
【００３６】
第１アーム部３１ｂの先端の外周側には、第１ベール支持部材４０が揺動自在に装着されている。第１アーム部３１ｂには、図４に示すように、ベール反転機構１８を装着するための長孔３６及び装着孔３７と、第１ベール支持部材４０を装着するためのねじ孔付きのボス部３８とが形成されている。
【００３７】
第２アーム部３２ｂの先端内周側には、第２ベール支持部材４２が揺動自在に装着されている。
【００３８】
第１ベール支持部材４０は、第１アーム３１ｂの先端にねじ込まれた取付ピン３９により第１ロータアーム３１に取り付けられる。この取付ピン３９は引っかかりが少ない六角孔付きボルトからなり、その頭部に釣り糸が引っかかりにくくなっている。
【００３９】
第１ベール支持部材４０の先端には、図３に示すように、釣り糸をスプール４に案内するためのラインローラ４１と、ラインローラ４１を挟んで第１ベール支持部材４０に固定された固定軸カバー４７とが装着されている。ラインローラ４１は、第１ベール支持部材４０の先端に回転自在に装着されている。固定軸カバー４７は、先端がとがった変形円錐形状である。固定軸カバー４７の先端部と第２ベール支持部材４２との間には線材を略Ｕ状に湾曲させた形状のベール４３が固定されている。これらの第１及び第２ベール支持部材４０，４２、ラインローラ４１、ベール４３及び固定軸カバー４７により釣り糸をスプール４に案内するベールアーム１７が構成される。ベールアーム１７は、図３（ａ）に示す糸案内姿勢と、図３（ｂ）に示す糸案内姿勢から反転した糸開放姿勢との間で揺動自在である。
【００４０】
〔ベール反転機構の構成〕
ベール反転機構１８は、収納空間４８内に配置されている。ベール反転機構１８は、ベールアーム１７を糸開放姿勢から糸案内姿勢にロータ３の回転に連動して復帰させるとともに、両姿勢でその状態を保持する。
【００４１】
ベール反転機構１８は、図３〜図６に示すように、収納空間４８内で第１アーム部３１ｂに揺動自在に装着されたトグルばね機構５０と、収納空間４８内に移動自在に装着された移動部材５１と、移動部材５１に接触可能にフランジ部２ｄに着脱自在に装着された切換部材５２とを有している。
【００４２】
トグルばね機構５０は、図３に示すように、ベールアーム１７が糸巻取姿勢となる第１位置と糸開放姿勢となる第２位置とを取り得るように第１ロータアーム３１内に配置され、ベールアーム１７を糸巻取姿勢と糸開放姿勢とに保持するための機構である。トグルばね機構５０は、一端が第１ベール支持部材４０に係止され、他端が第１アーム部３１ｂに沿って延びるロッド５５と、ロッド５５が進退自在に装着されるとともに第１アーム部３１ｂに中間部が揺動自在に取り付けられたガイド部材５６と、ロッド５５を進出側に付勢するコイルばね５７とを有している。
【００４３】
ロッド５５は、図４に示すように、その先端部５５ａが外周側に折り曲げられ、第１ベール支持部材４０に形成された係合穴４０ａに係止されている。またロッド５５の外周面には、ばね係止用の突起部５５ｂが形成されている。
【００４４】
ガイド部材５６は前端が開口する有底角筒状の部材であり、装着孔３７に係合するように突出する揺動軸５６ａを軸方向の中間部に有している。揺動軸５６ａは、ロータ３の径方向に沿って配置されており、ガイド部材５６は、揺動軸５６ａを中心に第１ロータアーム３１に揺動自在に取り付けられている。
【００４５】
トグルばね機構５０は、揺動軸５６ａの軸芯と第１ベール支持部材４０の揺動軸芯とを結ぶ線分に対して、糸巻取姿勢と糸開放姿勢とでロッド５５の第１ベール支持部材４０に対する係止位置が異なる方向に位置するように配置されている。これにより、トグルばね機構５０は、ベールアーム１７を両姿勢に振り分けて付勢して両姿勢で保持できる。
【００４６】
移動部材５１は、たとえば、ステンレス合金などの金属製の線材の両端を９０度異なる方向に折り曲げて形成された部材である。移動部材５１は、図３（ａ）に示す離反位置と図３（ｂ）に示す接触位置とに、第１アーム部３１ｂに略前後移動自在に装着されている。移動部材５１は、図３〜図６に示すように、その先端部５１ａが外周側に折り曲げられ、第１ベール支持部材４０に揺動方向に沿って形成された円弧状の係合凹溝４０ｂの揺動方向の端部のいずれに係止されている。中間部５１ｂは、ロッド５５より径方向内側で第１アーム部３１ｂに沿って延びている。後端部５１ｃは、中間部５１ｂから内周側に折り曲げられ、さらにロータ３の中心（回転軸芯）に向けて折り曲げられている。このように後端部５１ｃをロータ３の中心に向けると、切換部材５２に接触して押圧されたときに、力の伝達がスムーズになる。また、先端部５１ａを円弧状の係合凹溝４０ｂの端部に係止することにより、揺動時のベールアームの揺動量より移動部材５１の移動量を係合凹溝４０ｂの円弧方向の長さ分少なくすることができる。後端部５１ｃは、長孔３６を貫通して円筒部２ｅの基端部に装着された制動部材６５の前端面に僅かに重なり合う位置まで内方に延びており、その端面が僅かに丸みを帯びている。長孔３６の幅は、移動部材５１の直径とほぼ同じ寸法である。このため、移動部材５１の後端部５１ｃは、ベールアーム１７の揺動に連動して長孔３６に沿って前後に移動する。
【００４７】
移動部材５１の係合凹溝４０ｂでの係止端は、ベールアーム１７が糸開放姿勢にあるとき、後端部５１ｃとベールアーム１７の揺動中心とを結ぶ線分より糸巻取姿勢側に位置している。つまり、移動部材５１は、接触位置（図３（ｂ））にあるときの後端部５１ｃの軸芯と第１ベール支持部材４０の揺動軸芯とを結ぶ線分から同じ方向に離反位置と接触位置とで第１ベール支持部材４０への係止位置が存在するように配置されている。これにより、移動部材５１の後端部５１ｃが切換部材５２により押圧されたとき、第１ベール支持部材４０を糸巻取姿勢側に復帰させることができる。この接触位置にあるとき、後端部１１ｃの端面は、制動部材６５の前端面より奥側で外周面よりやや内方に食い込んでいる。このため、移動部材５１の移動量が僅かに変動しても常に同じ制動力が得られる。
【００４８】
制動部材６５は、ベールアーム１７が糸開放姿勢にあるとき、ロータ３の回転を制動するために設けられている。制動部材６５は、断面が矩形の、たとえばスチレン‐ブタジエン‐ゴム（ＳＢＲ）、アクリロニトリル‐ブタジエン‐ゴム、ブタジエン‐ゴム、イソプレン‐ゴム、クロロプレン‐ゴム、シリコーン‐ゴム、ウレタン‐ゴム等の合成ゴムからなる弾性体製のリング状の部材である。制動部材６５の外周面には、切換部材５２を回避する部分を除いて平坦な円周面で構成された制動面６５ａが形成されている。制動部材６５は、断面がＤ字状の円筒部２ｅの基端外周面に装着されている。したがって、制動部材６５は、正面視Ｄ字状に装着されている。この制動部材６５の直線部は、切換部材５２を迂回するために設けられている。制動部材６５の制動面６５ａの先端端縁６５ｂは丸みを帯びたＲ面となっている。このように制動面６５ａの端縁６５ｂを構成すると、移動部材５１が制動部材６５に接触するとき、丸みを帯びた移動部材５１の先端が制動部材６５の端縁６５ｂに滑らかに接触する。このため、ベールアーム１７の姿勢の切り換えがスムーズになる。円筒部２ｅの外周面には、フランジ部２ｄと間隔を隔てて環状突起２ｆが形成されており、制動部材６５は、フランジ部２ｄと環状突起２ｆとの間に両者に接触して装着されている。
【００４９】
切換部材５２は、たとえばナイロン６６やポリアセタールなどの合成樹脂製の部材であり、図５及び図６に示すように、リールボディ２ａと蓋部材２ｂとの分割部分でフランジ部２ｄに着脱自在に装着されている。リールボディ２ａと蓋部材２ｂとの分割部分には、矩形の切り欠き５３が形成されている。切換部材５２は、傾斜面６０ａを有するカム部６０と、カム部６０と一体形成されたくびれ部６１と、鍔部６２とを有している。傾斜面６０ａは、図６に矢印で示すロータ３の糸巻取回転方向の下流側が上流側によりロータ３に向けて前方に突出する傾斜面である。くびれ部６１は、切り欠き５３にはめ込まれる大きさを有しており、フランジ部２ｄの肉厚と略同じ寸法の隙間をカム部６０と鍔部６２との間に形成している。鍔部６２は、くびれ部６１より大きな断面を有しており、フランジ部２ｄの裏面に接触する。
【００５０】
このように構成された切換部材５２は、リールボディ２ａに蓋部材２ｂを装着するとき、たとえばリールボディ２ａ側の切り欠き５３にくびれ部６１をはめ込み、蓋部材２ｂをリールボディ２ａにビス止めするだけで、リール本体２に固定できる。このため、固定のための別の部材を用いずに簡単にリール本体２に切換部材５２を固定できる。また、リール本体２が腐食しやすいマグネシウム合金製であっても、移動部材５１が接触する切換部材５２はリール本体２と別部材であるので、ベールアーム１７が反転するときにリール本体２が傷つくことがない。このため、傷による腐食の進行を防止できる。さらに、リール本体２に装着される切換部材５２は、誘電体である合成樹脂製であるため、切換部材５２をリール本体２に接触させてもリール本体２が電解腐食しない。
【００５１】
このような構成のトグルばね機構５０は、図３（ａ）に示すような第１位置と、図３（ｂ）に示すような第２位置とをとることが可能である。第１位置は、ベールアーム１７の糸巻取姿勢に対応し、第２位置はベールアーム１７の糸開放姿勢に対応している。また、移動部材５１は、図３（ａ）に示す離反位置と、図３（ｂ）に示す接触位置とに後端部５１ｃが長孔３６に案内されて前後移動することができる。この離反位置が糸巻取姿勢に対応し、接触位置が糸巻取姿勢に対応する。接触位置では、移動部材５１の後端部５１ｃの端面が制動部材６５の前端面より奥側で制動面６５ａが僅かに圧縮されるように接触する。このため、移動部材５１の移動位置、つまり接触位置が軸方向に変動しても制動力は変動しない。また、接触位置でロータ３が糸巻取方向に回転すると、移動部材５１の後端部５１ｃの周面は切換部材５２の傾斜面６０ａに接触し、移動部材５１は離反姿勢に向けて前方に押圧される。
【００５２】
ロータ３の円筒部３０の内部には、図２に示すように、ロータ３の逆転を禁止・解除するための逆転防止機構７０が配置されている。逆転防止機構７０をローラ型のワンウェイクラッチを有しており、ワンウェイクラッチを作用状態と非作用状態とに切り換えることにより、ロータ３の逆転を禁止・解除する。
【００５３】
スプール４は、ロータ３の第１ロータアーム３１と第２ロータアーム３２との間に配置されており、スプール軸１５の先端にドラグ機構７１を介して装着されている。スプール４は、外周に釣り糸が巻かれる糸巻き胴部４ａと、糸巻き胴部４ａの後部に一体で形成されたスカート部４ｂと、糸巻き胴部４ａの前端に一体で形成されたフランジ部４ｃとを有している。
【００５４】
〔リールの操作及び動作〕
キャスティング時には逆転防止機構７０によりロータ３を逆転禁止状態にしてベールアーム１７を糸開放姿勢に反転させる。ベールアーム１７を糸開放姿勢に反転させると、第１ベール支持部材４０及び第２ベール支持部材４２は後方側に倒れ、ベール反転機構１８は、図３（ｂ）に示すような第２位置に配置される。ベールアーム１７が糸開放姿勢に倒れた状態では、スプール４からの釣り糸を容易に繰り出すことが可能である。
【００５５】
この糸巻取姿勢から糸開放姿勢への揺動において、トグルばね機構５０では、第１ベール支持部材４０の回転によってロッド５５が図３（ａ）において徐々に退入しつつ反時計方向に揺動し、図３（ｂ）に示す第２位置にいたる。このとき、死点を超えるまでは退入する。死点を超えると、ロッド５５がコイルばね５７の付勢力により進出してベールアーム１７を糸開放姿勢側に切り換えるとともにその姿勢で保持する。
【００５６】
ベールアーム１７が糸開放姿勢に揺動すると、係合凹溝４０ｂの揺動方向上流側の端部に移動部材５１の先端部５１ａが接触すると、移動部材５１は、離反位置から接触位置に向けて移動を開始する。そして第２位置に至ると、移動部材５１の後端部５１ｃの端面は、制動部材６５の制動面６５ａに僅かに食い込んで弾性的に接触する。この結果、ロータ３が制動されその回転位相が保持される。このとき、移動部材５１の後端部５１ｃの端面が制動部材６５の制動面６５ａに僅かに食い込んで弾性的に接触しているので、移動部材５１の接触位置が軸方向にずれても、接触状態が変動せず、制動力が変化しない。また、移動部材５１が制動部材６５と弾性的に接触して摩擦によりロータ３が制動されているだけであるので、ロータ３を手で回転させたりハンドル１により回転させれば簡単に回転位相を調整できる。すなわち、ロータ３が摩擦力により制動され回転位相が維持されるので、ベールアーム１７を糸開放姿勢にしたときにロータ３が回転することはない。したがって、キャスティング時やサミング時にロータ３の不意の回転による不具合を解消できる。しかも、ロータ３は摩擦により制動されているだけであるので、ロータ３に力を加えれば簡単に回して回転位相を調整することができる。
【００５７】
この状態で釣り竿を握る手の人差し指で釣り糸を引っかけながら釣り竿をキャスティングする。すると釣り糸は仕掛けの重さにより勢いよく放出される。
【００５８】
キャスティング後に、ベールアーム１７を糸開放姿勢に維持したままの状態でハンドル１をたとえば左手で糸巻取方向に回転させると、ロータ駆動機構５によりロータ３が糸巻取方向に回転する。ロータ３が糸巻取方向に回転すると、ベールアーム１７がベール反転機構１８により糸巻取姿勢に復帰する。
【００５９】
具体的には、図５及び図６において、移動部材５１がロータ３とともに時計方向に回転する。すると、移動部材５１の後端部５１ｃの周面がリール本体２側に固定された切換部材５２の傾斜面６０ａに当接する。これにより、移動部材５１が前方に押圧され、図６に二点鎖線で示す離反位置に切り換えられ、第１ベール支持部材４０を糸巻取姿勢に揺動させる。これに伴ってトグルばね機構５０のガイド部材５６が図３（ｂ）に示す第２位置から図３（ａ）に示す第１位置に向けて揺動する。そして、死点を超えると、コイルばね５７の付勢力よりロッド５５が進出し、ベールアーム１７を糸巻取姿勢に切り換えるとともにその姿勢で保持する。ベールアーム１７が糸巻取姿勢に復帰すると、第１ベール支持部材４０及び第２ベール支持部材４２は、図１及び図２に示すように、それぞれ前方側に起立している。ベールアーム１７が糸巻取姿勢に戻ると、ベールアーム１７により釣り糸がスプール４に案内されてスプール４の外周に巻き付けられる。
【００６０】
〔他の実施形態〕
（ａ）前記実施形態では、トグルばね機構５０をロッド５５とガイド部材５６とコイルばね５７とで構成したが、図７に示すように、トグルばね機構８０をロッド８１とロッド８１の外周側に配置されたコイルばね８２とで構成してもよい。
【００６１】
トグルばね機構８０のロッド８１は、先端に第１ベール支持部材４０の係合孔４０ａに係止されるように第１ベール支持部材４０に向けて折れ曲がった係止部８１ａを有している。また、ロッド８１は、中間部にコイルばね８２の先端部を係止するための係止突起８１ｂを有し、後端部に僅かに湾曲した湾曲部８１ｃを有している。係止突起８１ｂには、コイルばね８２の先端が当接するワッシャ８３が装着されており、これにより、コイルばね８２の先端部から力が均一にロッド８１に伝達される。
【００６２】
コイルばね８２は、アーム部３１ｂに装着された、たとえばナイロン６６などの合成樹脂製の案内シート８４に接触して案内される。案内シート８４は、コイルばね８２の一面を案内するとともに係止するように折れ曲がった壁面部８４ａを有している。壁面部８４ａは、コイルばね８２の側部及び基端部に接触し得る高さを有している。これにより、コイルばね８２が伸縮しやすくなるとともに、コイルばね８２が伸縮する際にアーム部３１ｂが傷つかなくなる。
【００６３】
コイルばね８２のワッシャ８３に係止される先端部は他の部分より巻径が小さくなっている。これにより先端部以外でコイルばね８２とロッド８１との間で大きな隙間が生じ、コイルばね８２の内部でロッド８１が姿勢を変えてもコイルばね８２が変形しにくくなる。また、アーム部３１ｂには、第１カバー部材３１ｃを装着するためのねじ穴付きのボス部８５が形成されている。このような構成のトグルばね機構８０を有するベール反転機構でも、揺動時にコイルばね８２による第１ベール支持部材４０の付勢方向が変化するので、前記実施形態と同様な効果が得られる。
【００６４】
なお、このような実施形態において、コイルばね８２の基端部内周面に接触するボス部や基端部外周面を覆うカバー部等を設けてコイルばね８２の基端部を係止するようにしてもよい。また、これらのボス部やカバー部を第１ベール支持部材４０の揺動軸と平行な軸回りに揺動するようにアーム部３１ｂに装着してもよい。たとえば、ボス部の基端面に円弧凸部を形成するとともにアーム部３１ｂ内に円弧凸部に係合する円弧凹部を形成し、これによりボス部を揺動自在に構成することが考えられる。
【００６５】
（ｂ）前記実施形態では、制動部材を合成ゴム製にしたが、弾性を有するものであれば、金属、合成樹脂、コルク等の木材、皮革材等でもよい。
【００６６】
（ｃ）前記実施形態では、移動部材５１を金属製の線材で構成したが、移動部材はこれに限定されず、後端部が前後移動して制動部材の制動面に接触するものであればどのような形態でもよい。
【００６７】
（ｄ）前記実施形態では、ベール反転機構１８を第１ロータアーム３１側に装着したが、第２ロータアーム３２側に装着してもよい。
【００６８】
（ｅ）前記実施形態では、切換部材５２の傾斜面６０ａが糸巻取回転方向上流側から下流側に向けて突出量が増加する傾斜面で構成されていたが、図８及び図９に示すように、傾斜面６０ａに加えて傾斜面６０ａの突出部分から糸巻取回転方向下流側に向けて突出量が減少する傾斜面６０ｂを形成してもよい。このような突出量が減少する傾斜面６０ｂを形成すると、切換部材５２が山形の傾斜面となる。この結果、ベールアーム１７が糸開放姿勢にあるとき、無理に逆転（糸繰り出し方向の回転）が加わって移動部材５１が切換部材５２に接触しても、ベール反転機構１８の移動部材５１が傾斜面６０ｂで切換部材５２に滑らかに案内され、損傷しにくくなる。なお、このような２つの傾斜面６０ａ，６０ｂを有する切換部材５２は、リール本体２と一体形成された切換部材にも適用でき、また制動部材を有していないベール反転機構にも適用できる。
【００６９】
（ｆ）前記実施形態では、移動部材５１の後端部５１ｃが長孔３６によって前後に案内されているが、長孔３６を完全な前後方向ではなく左右に少し振れて配置し、後端部５１ｃを斜めに案内してもよい。このように斜めに後端部５１ｃを案内すると、糸開放姿勢のとき、後端部５１ｃをロータ３の中心に向けることができる。また、後端部５１ｃをロータ３の中心に向けると、後端部５１ｃをさらにロータ３の中心に向けて折り曲げる必要がなくなる。
【００７０】
（ｇ）前記実施形態では、移動部材５１の後端部５１ｃの先端に丸みを付けたが、後端部５１ｃの先端を湾曲させて制動部材６５の制動面６５ａに接触させてもよい。
【００７１】
（ｈ）前記実施形態では、切換部材５２をフランジ部２ｄに着脱自在に装着したが、フランジ部２ｄに一体形成してもよい。
【００７２】
【発明の効果】
本発明によれば、ベールアームが揺動するときに、トグルばね機構の付勢力がベールアームの揺動に応じて変化するので、トグルばね機構の付勢力をベールアームに効率よく伝達することができる。
【図面の簡単な説明】
【図１】本発明の一実施形態を採用したスピニングリールの右側面図。
【図２】その左側面断面図。
【図３】第１ロータアームの平面図。
【図４】第１ロータアームの断面拡大図。
【図５】ベール反転機構を示すリールボディの正面図。
【図６】ベール反転機構を示すリールボディの底面部分図。
【図７】他の実施形態の図３に相当する図。
【図８】他の実施形態の図５に相当する図。
【図９】他の実施形態の図６に相当する図。
【符号の説明】
２  リール本体
３  ロータ
１７  ベールアーム
１８  ベール反転機構
５０，８０  トグルばね機構
５１  移動部材
５１ａ  先端部
５１ｂ  中間部
５１ｃ  後端部
５２  切換部材
５５，８１  ロッド
５６  ガイド部材
５７，８２  コイルばね
６０ａ  傾斜面
６５  制動部材
６５ａ  制動面
６５ｂ  端縁